(57)【要約】【課題】アンライセンス無線バンドシナリオのための一時的フローティングDLタイミングアプローチ。【解決手段】本願方法は、端末デバイスによって、第１タイムパターンにしたがってダウンリンク制御チャネルモニタリングを実行するステップを含む。本願方法は、データがいくつかのシンボル上で、ダウンリンク上で送信されたことを判断するステップと、データが送信されたことの判断に基づいて、第１タイムパターンにしたがってダウンリンク制御チャネルモニタリングの実行を中断するステップとを含む。本願方法は、また、データの送信後に少なくとも１つのシンボル上でダウンリンク制御チャネルモニタリングを実行するステップを含む。【選択図】図６
2021514151.tif 000002
【特許請求の範囲】
【請求項１】
端末デバイスによって、第１タイムパターンにしたがってダウンリンク制御チャネルモニタリングを実行するステップと、
多数のシンボル上のダウンリンクで、データが送信されたと判断するステップと、
前記データが送信されたとの前記判断に基づいて、前記第１タイムパターンにしたがって、ダウンリンク制御チャネルモニタリングの前記実行を中断するステップと、
前記データの送信後に少なくとも次のシンボルに対してダウンリンク制御チャネルモニタリングを実行するステップと、
を含む方法。
【請求項２】
前記データの前記送信の終了後の少なくとも１つの次のスロットについて、第２タイムパターンにしたがって、ダウンリンク制御チャネルモニタリングを実行するステップをさらに含む、請求項１に記載の方法。
【請求項３】
前記端末デバイスは、前記第１タイムパターンおよび第２タイムパターンにしたがって、前記ダウンリンク制御チャネルモニタリングのための構成パラメータを受信している、請求項１に記載の方法。
【請求項４】
前記第１タイムパターンおよび第２タイムパターンのうちの少なくとも１つに関連する前記ダウンリンク制御チャネルモニタリングの構成パラメータのセットのうちの少なくとも１つに基づいて、前記データの送信後の少なくとも前記次のシンボルに対して前記ダウンリンク制御チャネルモニタリングを実行するステップをさらに含む、請求項１に記載の方法。
【請求項５】
前記データは、物理ダウンリンク共有チャネル上で送信される、請求項１に記載の方法。
【請求項６】
前記データが送信されるという前記判断は、ダウンリンク制御チャネル上で、前記端末デバイスに向けられたダウンリンク割り当てを検出することと、端末デバイスのグループに向けられたダウンリンク制御情報を検出することとのうちの少なくとも１つに基づく、請求項１に記載の方法。
【請求項７】
前記端末デバイスが、ダウンリンクの送信が終了したと判断するステップと、前記ダウンリンクの送信が終了したと判断したことに基づいて、第２タイムパターンにしたがって前記ダウンリンクの制御チャネルのモニタリングを中断するステップと、をさらに含む請求項１に記載の方法。
【請求項８】
前記端末デバイスが、基地局からのダウンリンク送信がないと判定するステップと、前記基地局からのダウンリンク送信がないと前記判定したことに基づいて、前記第１タイムパターンにしたがって前記ダウンリンク制御チャネルモニタリングを行うステップとをさらに含む請求項１に記載の方法。
【請求項９】
前記第１タイムパターンはスロット毎に２つ以上のダウンリンク制御チャネルモニタリングの機会を有し、第２タイムパターンは、スロット周期性にしたがう、請求項１に記載の方法。
【請求項１０】
前記ダウンリンク制御チャネルモニタリングは、アンライセンスバンド上で実行される、請求項１に記載の方法。
【請求項１１】
第１タイムパターンにしたがってダウンリンク制御チャンネルモニタリングを実行するための手段と、
多数のシンボル上で、ダウンリンク上でデータが送信されたことを判断するための手段と、
前記データが送信されたという前記判断に基づいて、前記第１タイムパターンにしたがってダウンリンク制御チャネルモニタリングの前記実行を中断する手段と、
前記データの送信後に少なくとも次の記号に対してダウンリンク制御チャネルモニタリングを実行する手段と
を備える装置。
【請求項１２】
第２タイムパターンによるダウンリンク制御チャネルモニタリングを、前記データの送信の終了後の少なくとも１つの次のスロットについて実行する手段をさらに備える、請求項１１に記載の装置。
【請求項１３】
前記装置は、前記第１タイムパターンおよび第２タイムパターンにしたがって、前記ダウンリンク制御チャネルモニタリングのための構成パラメータを受信している、請求項１１に記載の装置。
【請求項１４】
前記第１タイムパターンおよび第２タイムパターンのうちの少なくとも１つに関連する前記ダウンリンク制御チャネルモニタリングの構成パラメータの組のうちの少なくとも１つに基づいて、前記データの伝送後の少なくとも前記次の記号に対して前記ダウンリンク制御チャネルモニタリングを実行するための手段をさらに備える、請求項１１に記載の装置。
【請求項１５】
前記データは、物理ダウンリンク共有チャネル上で送信される、請求項１１に記載の装置。
【請求項１６】
前記データが送信されるという前記判断は、ダウンリンク制御チャネル上で端末デバイスに向けられたダウンリンク割り当てを検出することと、端末デバイスのグループに向けられたダウンリンク制御情報を検出することとのうちの少なくとも１つに基づく、請求項１１に記載の装置。
【請求項１７】
ダウンリンク送信が終了したと判断する手段と、前記ダウンリンク送信が終了したとの前記判断に基づいて、第２タイムパターンにしたがって、前記ダウンリンク制御チャネルモニタリングを中断する手段とをさらに備える、請求項１１に記載の装置。
【請求項１８】
第１タイムパターンのモニタリングの機会に、ダウンリンク制御チャネル上で少なくとも１つの端末デバイスのための第１ダウンリンク割り当てを、基地局が送信するステップと、
前記第１ダウンリンク割り当てに関連するダウンリンク共有チャネル上でデータを送信するステップと、前記データの送信後に、少なくとも次のシンボルで前記少なくとも１つの端末デバイスをモニタリングするダウンリンク制御チャネル上で第２ダウンリンク割当てを送信するステップと、
第２タイムパターンのモニタリングの機会にダウンリンク制御チャネル上で少なくとも１つの端末デバイスの第３ダウンリンク割当てを送信するステップと、
を含む方法であって、
前記第１タイムパターンは、スロット毎に２つ以上のダウンリンク制御チャネルモニタリングの機会を有し、前記第２タイムパターンは、スロット周期性にしたがう、方法。
【請求項１９】
少なくとも１つの端末デバイスのための第１ダウンリンク割当てを、第１タイムパターンのモニタリングの機会にダウンリンク制御チャンネル上で送信するための手段と、
前記第１ダウンリンク割当てに関連するダウンリンク共有チャンネル上でデータを送信するための手段と、
前記データの伝送後の少なくとも次の記号上で前記少なくとも１つの端末デバイスをモニタリングするダウンリンク制御チャネル上で第２ダウンリンク割当てを伝送するための手段と、
第２タイムパターンのモニタリングの機会の上のダウンリンク制御チャネル上で、少なくとも１つの端末デバイスのための第３ダウンリンク割当てを伝送するための手段と、
を備える装置であって、
前記第１タイムパターンは、スロット毎に２つ以上のダウンリンク制御チャネルモニタリングの機会を有し、前記第２タイムパターンは、スロット周期性にしたがう、装置。
【請求項２０】
コンピュータによって実行されると、請求項１ないし１０および１８のいずれか１項に記載の方法を実行させる命令で符号化された非一時的コンピュータ可読メディア。
【発明の詳細な説明】
【技術分野】
【０００１】
本発明の例示的な実施形態による教示は、一般に、物理層（ＰＨＹ）、メディアアクセス制御（ＭＡＣ）、無線リンク制御（ＲＬＣ）、無線リソース制御（ＲＲＣ）などを含む無線規格に関し、特に、ダウンリンク制御チャネルの送信および受信に関する。
【背景技術】
【０００２】
ダウンリンク制御チャネルは、（例えば、ＮＲベースの）アクセスをアンライセンススペクトルに提供するために、アンライセンス無線バンド（例えば、ＮＲアンライセンスバンド）シナリオにおいてモニタリングすることができる。ＮＲ物理ダウンリンク制御チャネル（ＰＤＣＣＨ）は、ダウンリンク制御情報（ＤＣＩ）を搬送するために使用することができる。ＮＲ  ＰＤＣＣＨは直交周波数分割多重（ＯＦＤＭ）波形と極性符号化（ｐｏｌａｒ  ｃｏｄｉｎｇ）を利用することができる。ＮＲ  ＰＤＣＣＨは、復調基準信号（ＤＭＲＳ）のために４つおきのリソース要素を利用することができる。ＤＣＩは、ダウンリンク（ＤＬ）およびアップリンク（ＵＬ）リソース割り当てシグナリングのために使用され得る。ＤＣＩはまた、キャリアアグリゲーションおよび帯域幅部分（ＢＷＰ）（非）アクティブ化、フレーム構造指示（グループ共通ＰＤＣＣＨ）、および電力制御更新などの他の目的のために使用され得る。
【０００３】
ＰＤＣＣＨブラインドサーチは、１つまたは多数の制御リソースセット（ＣＯＲＥＳＥＴ）にマッピングされた並列サーチスペースセットの手段によって構成することができる。制御リソースセット・プロパティは、周波数タイムリソース、ＤＭＲＳプロパティ、ＲＥＧバンドルサイズ、マッピングなどを含むことができる。サーチスペースセットは、異なる集約レベルを有する複数のサーチスペースをカバーすることができる。サーチスペースセットプロパティは、各アグリゲーションレベルのいくつかのＢＤ、モニタリングされるＤＣＩサイズ、モニタリングされるＲＮＴＩ、第１パターンの周期性などを含むことができる。ＰＤＣＣＨブラインド探索中に、ユーザ装置（ＵＥ）は、事前定義された制御チャネル要素（ＣＣＥ）、アグリゲートＣＣＥ、およびダウンリンク制御情報（ＤＣＩ）サイズを、事前定義されたタイムまたはモニタリングの機会にモニタリングすることができる。
【０００４】
記述及び／又は図表に記載されている特定の略号は以下のとおりである。
ＡＬ：アグリゲーションレベル（ａｇｇｒｅｇａｔｉｏｎ  ｌｅｖｅｌ）
ＢＤ：ブラインド復号（Ｂｌｉｎｄ  ｄｅｃｏｄｉｎｇ）
ＢＰＬ：ビームペアリンク（Ｂｅａｍ  Ｐａｉｒ  Ｌｉｎｋ）
ＢＷＰ：帯域幅部分（Ｂａｎｄｗｉｄｔｈ  ｐａｒｔ）
ＣＡ：キャリアアグリゲーション（Ｃａｒｒｉｅｒ  ａｇｇｒｅｇａｔｉｏｎ）
ＣＣ：コンポーネントキャリア（Ｃｏｍｐｏｎｅｎｔ  ｃａｒｒｉｅｒ）
ＣＣＥ：制御チャネル要素（Ｃｏｎｔｒｏｌ  ｃｈａｎｎｅｌ  ｅｌｅｍｅｎｔ）
ＣＥ：制御要素（Ｃｏｎｔｒｏｌ  Ｅｌｅｍｅｎｔ）
ＣＯＲＥＳＥＴ：制御リソースセット（Ｃｏｎｔｒｏｌ  ｒｅｓｏｕｒｃｅ  ｓｅｔ）
ＣＯＴ：チャネル占有タイム（Ｃｈａｎｎｅｌ  ｏｃｃｕｐａｎｃｙ  ｔｉｍｅ）
ＣＳＳ：共通検索スペース（Ｃｏｍｍｏｎ  ｓｅａｒｃｈ  ｓｐａｃｅ）
ＤＡＩ：ダウンリンク割当インデックス（Ｄｏｗｎｌｉｎｋ  Ａｓｓｉｇｎｍｅｎｔ  Ｉｎｄｅｘ）
ＤＣＩ：ダウンリンク制御情報（Ｄｏｗｎｌｉｎｋ  Ｃｏｎｔｒｏｌ  Ｉｎｆｏｒｍａｔｉｏｎ）
ＤＬ：ダウンリンク（Ｄｏｗｎｌｉｎｋ）
ＤＭＲＳ：復調基準信号（Ｄｅｍｏｄｕｌａｔｉｏｎ  Ｒｅｆｅｒｅｎｃｅ  Ｓｉｇｎａｌ）
ＤＲＸ：不連続待ち受け（Ｄｉｓｃｏｎｔｉｎｕｅｄ  ｒｅｃｅｐｔｉｏｎ）
ＤｗＰＴＳ：ダウンリンクパイロットタイムスロット（Ｄｏｗｎｌｉｎｋ  Ｐｉｌｏｔ  Ｔｉｍｅ  Ｓｌｏｔ）
ｅＭＢＢ：拡張モバイルブロードバンド（ｅｎｈａｎｃｅｄ  ｍｏｂｉｌｅ  ｂｒｏａｄ  ｂａｎｄ）
ｇＮＢ：５Ｇ拡張ノードＢ（基地局）（５Ｇ  Ｅｎｈａｎｃｅｄ  Ｎｏｄｅ  Ｂ  （Ｂａｓｅ  ｓｔａｔｉｏｎ））
ＨＡＲＱ：ハイブリッド自動リピート要求（Ｈｙｂｒｉｄ  Ａｕｔｏｍａｔｉｃ  Ｒｅｐｅａｔ  Ｒｅｑｕｅｓｔ）
ＬＡＡ：ライセンス支援アクセス（Ｌｉｃｅｎｓｅｄ  ａｓｓｉｓｔｅｄ  ａｃｃｅｓｓ）
ＬＴＥ：ロングタームエボリューション（ｌｏｎｇ  ｔｅｒｍ  ｅｖｏｌｕｔｉｏｎ）
ＭＡＣ：メディアアクセス制御（Ｍｅｄｉｕｍ  ａｃｃｅｓｓ  ｃｏｎｔｒｏｌ）
ＭＥＣ：マルチアクセス・エッジ・コンピューティング（ｍｕｌｔｉ−ａｃｃｅｓｓ  ｅｄｇｅ  ｃｏｍｐｕｔｉｎｇ）
ＭＭＥ：モビリティ管理エンティティ（ｍｏｂｉｌｉｔｙ  ｍａｎａｇｅｍｅｎｔ  ｅｎｔｉｔｙ）
ＮＡＣＫ：否定応答（Ｎｅｇａｔｉｖｅ  ａｃｋｎｏｗｌｅｄｇｅｍｅｎｔ）
ＮＣＥ：ネットワーク制御要素（ｎｅｔｗｏｒｋ  ｃｏｎｔｒｏｌ  ｅｌｅｍｅｎｔ）
ＮＲ：新無線（Ｎｅｗ  ｒａｄｉｏ）
ＮＲ−ＰＤＣＣＨ：新無線物理ダウンリンク制御チャネル（Ｎｅｗ  ｒａｄｉｏ  Ｐｈｙｓｉｃａｌ  Ｄｏｗｎｌｉｎｋ  Ｃｏｎｔｒｏｌ  Ｃｈａｎｎｅｌ）
Ｎ／Ｗ：ネットワーク（Ｎｅｔｗｏｒｋ）
ＯＦＤＭ：直交周波数多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）
ＰＢＣＨ：物理放送チャネル（Ｐｈｙｓｉｃａｌ  Ｂｒｏａｄｃａｓｔ  Ｃｈａｎｎｅｌ）
ＰＤＣＣＨ：物理ダウンリンク制御チャネル（Ｐｈｙｓｉｃａｌ  Ｄｏｗｎｌｉｎｋ  Ｃｏｎｔｒｏｌ  Ｃｈａｎｎｅｌ）
ＰＤＳＣＨ：物理ダウンリンク共有チャネル（Ｐｈｙｓｉｃａｌ  Ｄｏｗｎｌｉｎｋ  Ｓｈａｒｅｄ  Ｃｈａｎｎｅｌ）
ＰＵＣＣＨ：物理アップリンク制御チャネル（Ｐｈｙｓｉｃａｌ  Ｕｐｌｉｎｋ  Ｃｏｎｔｒｏｌ  Ｃｈａｎｎｅｌ）
ＰＵＳＣＨ：物理アップリンク共有チャネル（Ｐｈｙｓｉｃａｌ  Ｕｐｌｉｎｋ  Ｓｈａｒｅｄ  Ｃｈａｎｎｅｌ）
ＲＥ：リソース要素（Ｒｅｓｏｕｒｃｅ  Ｅｌｅｍｅｎｔ）
ＲＥＧ：リソース・エレメント・グループ（Ｒｅｓｏｕｒｃｅ  ｅｌｅｍｅｎｔ  ｇｒｏｕｐ）
ＲＦ：無線周波数（Ｒａｄｉｏ  Ｆｒｅｑｕｅｎｃｙ）
ＲＮＴＩ：無線ネットワーク一時的識別子（Ｒａｄｉｏ  Ｎｅｔｗｏｒｋ  Ｔｅｍｐｏｒａｒｙ  Ｉｄｅｎｔｉｆｉｅｒ）
ＲＲＣ：無線リソース制御（Ｒａｄｉｏ  Ｒｅｓｏｕｒｃｅ  Ｃｏｎｔｒｏｌ）
ＲＳ：リファレンス信号（Ｒｅｆｅｒｅｎｃｅ  Ｓｉｇｎａｌ）
ＲＳＲＰ：基準信号受信電力（Ｒｅｆｅｒｅｎｃｅ  Ｓｉｇｎａｌ  Ｒｅｃｅｉｖｅｄ  Ｐｏｗｅｒ）
ＳＳ：検索スペース（Ｓｅａｒｃｈ  ｓｐａｃｅ）
ＳＳＳ：検索スペースセット（Ｓｅａｒｃｈ  ｓｐａｃｅ  ｓｅｔ）
ＴＲＰ：送信−受信ポイント（Ｔｒａｎｓｍｉｓｓｉｏｎ−ｒｅｃｅｐｔｉｏｎ  ｐｏｉｎｔ）
ＴＸＲＵ：トランシーバ・ユニット（Ｔｒａｎｓｃｅｉｖｅｒ  Ｕｎｉｔ）
ＵＥ：ユーザ装置（Ｕｓｅｒ  Ｅｑｕｉｐｍｅｎｔ）
ＵＬ：アップリンク（Ｕｐｌｉｎｋ）
ＵＳＳ：ユーザ固有検索スペース（Ｕｓｅｒ−ｓｐｅｃｉｆｉｃ  ｓｅａｒｃｈ−ｓｐａｃｅ）
５Ｇ：第５世代移動通信システム（Ｆｉｆｔｈ  ｇｅｎｅｒａｔｉｏｎ  ｍｏｂｉｌｅ  ｃｏｍｍｕｎｉｃａｔｉｏｎ  ｓｙｓｔｅｍ）
【発明の概要】
【０００５】
このセクションは可能な実装の例を含むが、これらに限定することを意図するものではない。
【０００６】
一態様によれば、例示的な方法は、端末デバイスによって、第１タイムパターンにしたがってダウンリンク制御チャネルモニタリングを実行するステップと、データがいくつかのシンボル上で、ダウンリンク上で送信されることを決定するステップと、データが送信されるという決定に基づいて、第１タイムパターンにしたがってダウンリンク制御チャネルモニタリングの実行を中断するステップと、データの送信後に少なくとも１つのシンボル上でダウンリンク制御チャネルモニタリングを実行するステップとを備える。
【０００７】
別の態様によれば、実施例の装置は、少なくとも１つのプロセッサと、コンピュータ・プログラム・コードを含む少なくとも１つの非一時的メモリと、を備え、前記少なくとも１つのメモリと、前記コンピュータ・プログラム・コードとは、少なくとも１つのプロセッサを用いて、装置に、第１タイムパターンにしたがってダウンリンク制御チャネルモニタリングを実行させることと、多数のシンボルでデータがダウンリンクで送信されると判断することと、前記データが送信されるとの判断に基づいて、前記第１タイムパターンにしたがってダウンリンク制御チャネルモニタリングの実行を中断することと、前記データの送信後に少なくとも１つのシンボルでダウンリンク制御チャネルモニタリングを実行させることとをさせるように構成されることができる。
【０００８】
別の態様によれば、例示的な装置は、装置によって、第１タイムパターンによるダウンリンク制御チャネルモニタリングと、データがいくつかのシンボル上で、ダウンリンク上で送信されることを決定するための手段と、データが送信されることの決定に基づいて、第１タイムパターンにしたがってダウンリンク制御チャネルモニタリングの実行を中断する手段と、データの送信後に少なくとも１つのシンボル上でダウンリンク制御チャネルモニタリングを実行するための手段とを備える。
【図面の簡単な説明】
【０００９】
本発明の実施形態の上記および他の態様は、添付の図面と併せて読まれるとき、以下の詳細な説明においてより明らかになる。
【図１】図１は、例示的な実施形態を実施することができる１つの可能な非限定的な例示的なシステムのブロック図である。
【図２】図２はインターリーブされたＲＥＧからＣＣＥへのマッピングの例示的な図を示し、ＲＥＧバンドルサイズ＝２である。
【図３】図３は、サポートされるＰＤＣＣＨマッピングオプションの例示的な表を示す。
【図４】図４は、ＰＤＣＣＨブラインド検索を管理するためのベースラインソリューションの例示的な図を示す。
【図５】図５は、非スロットベースのアプローチによるＰＤＣＣＨモニタリングを定義する例示的な図を示す。
【図６】図６は、アンライセンス無線シナリオのための一時的にフローティングするＤＬタイミングアプローチの例示的な図を示す。
【図７】図７は、デフォルトダウンリンクテーブルの値の例示的な図を示す。
【図８】図８は、スロットシンボル割り当てテーブルの例示図を示す。
【図９】図９は装置によって実行され得る例示的な実施形態による方法を示す。
【図１０】図１０は、装置によって実行され得る例示的な実施形態による別の方法を示す。
【発明を実施するための形態】
【００１０】
本明細書に記載される実施形態の例では、単一ビームおよび複数ビームシナリオのためのダウンリンクチャネル制御手順を提供する方法および装置が示される。
【００１１】
図１を参照すると、この図は、例示的な実施形態を実施することができる１つの可能な非限定的な例示的なシステムのブロック図を示す。図１において、ユーザ装置（ＵＥ）１１０は、無線ネットワーク１００と無線通信している。ＵＥは、ワイヤレスネットワークにアクセスできるワイヤレス（通常はモバイルデバイス）である。ＵＥ１１０は、１つ以上のバス１２７を介して相互接続された、１つ以上のプロセッサ１２０、１つ以上のメモリ１２５、および１つ以上のトランシーバ１３０を含む。１つ以上のトランシーバ１３０の各々は、受信機、Ｒｘ、１３２および送信機、Ｔｘ、１３３を含む。１つ以上のバス１２７は、アドレス、データ、または制御バスとすることができ、マザーボードまたは集積回路上の一連のライン、光ファイバまたは他の光通信装置などの任意の相互接続機構を含むことができる。１つ以上のトランシーバ１３０は、１つ以上のアンテナ１２８に接続される。１つ以上のメモリ１２５は、コンピュータ・プログラム・コード１２３を含む。ＵＥ  １１０は、いくつかの方法で実装され得る部分１４０−１および／または１４０−２の一方または両方を備えるシグナリングモジュール１４０を含む。シグナリングモジュール１４０は、１つ以上のプロセッサ１２０の一部として実装されるなど、シグナリングモジュール１４０−１としてハードウェアで実装され得る。シグナリングモジュール１４０ー１は、集積回路として、または、プログラマブルゲートアレイなどの他のハードウェアを介して実装されることができる。別の例では、シグナリングモジュール１４０は、シグナリングモジュール１４０−２として実装されることができ、これは、コンピュータ・プログラム・コード１２３として実装され、１つ以上のプロセッサ１２０によって実行される。例えば、１つ以上のメモリ１２５およびコンピュータ・プログラム・コード１２３は、１つ以上のプロセッサ１２０を用いて、ユーザ装置１１０に、本明細書に記載する１つ以上の動作を実行させるように構成することができる。ＵＥ１１０は、無線リンク１１１を介してｅＮＢ  １７０と通信する。
【００１２】
ｇＮＢ  （ＮＲ／５ＧノードＢであるが、場合によっては発展型ノードＢ）１７０は、ＵＥ１１０などのワイヤレスデバイスによるワイヤレスネットワーク１００へのアクセスを提供する（例えば、ＬＴＥ、ロングタームエボリューション、またはＮＲ、ニューラジオのための）基地局である。ｇＮＢ１７０は、１つ以上のプロセッサ１５２と、１つ以上のメモリ１５５と、１つ以上のネットワークインターフェース（Ｎ／Ｗ  Ｉ／Ｆ）１６１と、１つ以上のバス１５７を介して相互接続された１つ以上のトランシーバ１６０とを含む。１つ以上のトランシーバ１６０の各々は、受信機、Ｒｘ、１６２および送信機、Ｔｘ、１６３を含む。１つ以上のトランシーバ１６０は、１つ以上のアンテナ１５８に接続される。１つ以上のメモリ１５５は、コンピュータ・プログラム・コード１５３を含む。ｇＮＢ１７０は、いくつかの方法で実装することができる部分１５０ー１および／または１５０−２の一方または両方を備えるレポート・モジュール１５０を含む。レポート・モジュール１５０は、１つ以上のプロセッサ１５２の一部として実装されるように、レポート・モジュール１５０−１としてハードウェアで実装することができる。レポート・モジュール１５０ー１は、また、集積回路として、またはプログラマブルゲートアレイなどの他のハードウェアを介して実装することができる。別の例では、レポート・モジュール１５０は、コンピュータ・プログラム・コード１５３として実装され、１つ以上のプロセッサ１５２によって実行されるレポート・モジュール１５０−２として実装されてもよい。例えば、１つ以上のメモリ１５５およびコンピュータ・プログラム・コード１５３は、１つ以上のプロセッサ１５２によって、ｇＮＢ１７０に本明細書に記載する１つ以上の動作を実行させるように構成される。１つ以上のネットワークインターフェース１６１は、リンク１７６および１３１を介してなどのネットワークを介して通信する。２つ以上のｇＮＢ１７０は、例えばリンク１７６を用いて通信する。リンク１７６は有線または無線、あるいはその両方とすることができ、例えば、Ｘ２インターフェースを実装することができる。
【００１３】
１つ以上のバス１５７は、アドレス、データ、または、制御バスとすることができ、マザーボードまたは集積回路上の一連のライン、光ファイバまたは他の光通信装置、無線チャネルなどの任意の相互接続機構を含むことができる。例えば、１つ以上のトランシーバ１６０は、遠隔無線ヘッド（ＲＲＨ）１９５として実装することができ、ｇＮＢ１７０の他の要素はＲＲＨとは物理的に異なる位置にあり、１つ以上のバス１５７は、ｇＮＢ１７０の他の要素をＲＲＨ１９５に接続するための光ファイバケーブルとして部分的に実装することができる。
【００１４】
本明細書の説明は「セル」が機能を実行することを示すが、セルを形成するｇＮＢが機能を実行することは明らかであることに留意されたい。セルはｇＮＢの一部を構成する。すなわち、ｇＮＢ当たり複数のセルが存在し得る。各セルは、１つ以上の送信および受信ポイント（ＴＲＰ）を含むことができる。
【００１５】
無線ネットワーク１００はＭＭＥ（Ｍｏｂｉｌｉｔｙ  Ｍａｎａｇｅｍｅｎｔ  Ｅｎｔｉｔｙ）／ＳＧＷ（Ｓｅｒｖｉｎｇ  Ｇａｔｅｗａｙ）機能を含み、電話ネットワークおよび／またはデータ通信ネットワーク（例えば、インターネット）などのさらなるネットワークとの接続性を提供するネットワーク制御エレメント（ＮＣＥ）１９０を含み得る。ｇＮＢ  １７０は、リンク１３１を介してＮＣＥ  １９０に結合される。リンク１３１は例えば、Ｓ１インターフェースとして実装されてもよい。ＮＣＥ１９０は、１つ以上のバス１８５を介して相互接続された、１つ以上のプロセッサ１７５、１つ以上のメモリ１７１、および１つ以上のネットワークインターフェース（Ｎ／Ｗ  Ｉ／Ｆ）１８０を含む。１つ以上のメモリ１７１は、コンピュータ・プログラム・コード１７３を含む。１つ以上のメモリ１７１およびコンピュータ・プログラム・コード１７３は、１つ以上のプロセッサ１７５によって、ＮＣＥ  １９０に１つ以上の動作を実行させるように構成される。
【００１６】
無線ネットワーク１００は、ネットワーク仮想化を実装することができる。これは、ハードウェアとソフトウェアのネットワークリソースとネットワーク機能性を単一のソフトウェアベースの管理エンティティである仮想ネットワークに組み合わせるプロセスである。ネットワーク仮想化には、プラットフォーム仮想化が含まれ、多くの場合、リソース仮想化と組み合わされる。ネットワーク仮想化は、多くのネットワーク、またはネットワークの一部を仮想ユニット、つまり内部に組み合わせて、１つのシステム上のソフトウェア容器にネットワークのような機能を提供する外部のいずれかに分類される。ネットワーク仮想化から生じる仮想化エンティティは、プロセッサ１５２または１７５、メモリ１５５および１７１などのハードウェアを使用して、あるレベルで依然として実装されており、そのような仮想化エンティティも技術的効果を生み出すことに留意されたい。
【００１７】
コンピュータ可読メモリ１２５、１５５、および１７１はローカル技術環境に適した任意のタイプのものとすることができ、半導体ベースのメモリ装置、フラッシュメモリ、磁気メモリ装置およびシステム、光メモリ装置およびシステム、固定メモリおよびリムーバブルメモリなど、任意の適切なデータ記憶技術を使用して実装することができる。記憶機能を実行するために、コンピュータ可読メモリ１２５、１５５、および１７１が手段であってもよい。プロセッサ１２０、１５２、および１７５はローカル技術環境に適した任意のタイプとすることができ、非限定的な例として、汎用コンピュータ、専用コンピュータ、マイクロプロセッサ、デジタル信号プロセッサ（ＤＳＰ）、およびマルチコアプロセッサアーキテクチャに基づくプロセッサのうちの１つ以上を含むことができる。プロセッサ１２０、１５２、および１７５は、端末１１０、ｇＮＢ  １７０、および本明細書で説明されるような他の機能を制御するなどの機能を実行するために手段であってもよい。
【００１８】
一般に、ユーザ装置１１０の様々な実施形態は、スマートフォンなどの携帯電話、タブレット、無線通信能力を有する携帯情報端末（ＰＤＡ）、無線通信能力を有するポータブルコンピュータ、無線通信能力を有するデジタルカメラなどの画像キャプチャデバイス、無線通信能力を有するゲームデバイス、無線通信能力を有する音楽記憶および再生機器、無線インターネットアクセスおよびブラウジングを可能にするインターネット機器、無線通信能力を有するタブレット、ならびに、そのような機能の組合せを組み込むポータブルユニットまたは端末を含むことができるが、これらに限定されない。
【００１９】
本明細書の実施形態は、ソフトウェア（１つ以上のプロセッサによって実行される）、ハードウェア（例えば、特定用途向け集積回路）、またはソフトウェアとハードウェアの組合せで実施することができる。一実施形態の一例ではソフトウェア（例えば、アプリケーションロジック、命令セット）は様々な従来のコンピュータ可読メディアのいずれか１つに維持される。本明細書の文脈では、「コンピュータ可読メディア」が、コンピュータなどの命令実行システム、装置、またはデバイスによって、またはそれらに関連して使用するための命令を含み、記憶し、通信し、伝播し、または搬送することができる任意のメディアまたは手段とすることができ、コンピュータの一例は、たとえば図１に記載され図示されている。コンピュータ可読メディアは、コンピュータなどの命令実行システム、装置、またはデバイスによって、またはそれらに関連して使用するための命令を含むか、または格納することができる任意のメディアまたは手段であり得る、コンピュータ可読記憶メディアまたは他のデバイスを備えることができる。
【００２０】
ＬＴＥネットワークにおける現在のアーキテクチャは、無線において完全に分散され、コアネットワークにおいて完全に集中される。低遅延はコンテンツを無線に近づけることを必要とし、これはローカルブレークアウトとマルチアクセスエッジコンピューティング（ＭＥＣ）につながる。５Ｇは、エッジクラウドおよびローカルクラウドアーキテクチャを使用することができる。エッジコンピューティングは、ワイヤレスセンサネットワーク、モバイルデータ取得、モバイルシグネチャ分析、協調分散ピアツーピアアアドホックネットワーキング、ならびにローカルクラウド／フォグコンピューティングおよびグリッド／メッシュコンピューティング、デューコンピューティング、モバイルエッジコンピューティング、クラウドレット、分散データ記憶および検索、自律自己回復ネットワーク、リモートクラウドサービス、および拡張現実としても分類可能な処理など、広範囲の技術をカバーする。無線通信では、エッジクラウドを使用することは、無線部分を備える遠隔無線ヘッドまたは基地局に動作可能に結合されたサーバ、ホスト、またはノードにおいて、少なくとも部分的に実行されるノード動作を意味することができる。ノード操作は、複数のサーバ、ノード、またはホストの間で分散されることも可能である。コアネットワークオペレーションと基地局オペレーションとの間の労力の分配は、ＬＴＥのそれとは異なってもよく、または存在しなくてもよいことも理解されるべきである。おそらく使用される他の技術の進歩には、ソフトウェア定義ネットワーキング（ＳＤＮ）、ビッグデータ、オールＩＰなどがあり、ネットワークの構築や管理方法が変更される可能性がある。
【００２１】
例示的な実施形態は、ネットワークバックホールにおいて実装されてもよい。例示的な実施形態はまた、（例えば、ＵＥ  １１０に関して以下で説明される機能に関して）中継ノードにおいて実装され得る。さらに、マルチホップ中継シナリオでは、中継ノード（ＲＮ）が以下でｇＮＢ  １７０に関して説明される機能を実装し得る。
【００２２】
このように、本発明の例示的な実施形態の実施のための１つの適切であるが非限定的な技術的コンテキストを導入したが、例示的な実施形態はここで、より大きな特異性を伴って記載される。
【００２３】
図２は、ＲＥＧバンドルサイズ＝２であるインターリーブされたＲＥＧからＣＣＥへのマッピング２００を示し、ＲＥＧからＣＣＥへのマッピング２００は、物理リソースブロック（ＲＢまたはＰＲＢ）２１０、６ＲＢグリッド２２０、制御リソースセット２３０、インターリーブされたＲＥＧバンドル２４０、およびＣＣＥキー２５０（ＣＣＥ２５０ー０から２５０ー７に対応する）を含む。
【００２４】
特定の例では、本明細書で説明される例示的な実施形態がブラインドサーチの手段によって実行されてもよい、ＮＲにおける制御チャンネルのモニタリングに向けられてもよい。ブラインド探索またはブラインド復号は、ＵＥ１１０がすべてのモニタリン機会においてＰＤＣＣＨ候補の設定をモニタリングすることによって、そのＰＤＣＣＨを見つけるプロセスを指すことができる。モニタリング機会としては、１つのスロットに１回、複数のスロットに１回、または１つのスロットに複数回などがある。例示的な実施形態では、ＰＤＣＣＨブラインドサーチが１つ以上の制御リソースセット（ＣＯＲＥＳＥＴ）にマッピングされた並列サーチ空間セットの手段によって構成され得る。ＰＤＣＣＨブラインドサーチ中に、ＵＥ１１０は、設定されたモニタリングの機会に対応して、所定のタイムインスタントにおいて、所定のＲＮＴＩ（無線ネットワークタイムインデックス）を用いて、所定の制御チャネル要素（ＣＣＥ）、アグリゲートＣＣＥ、および／またはダウンリンク制御情報（ＤＣＩ）サイズをモニタリングしていてもよい。
【００２５】
ＣＣＥは、上位レイヤシグナリングを介して構成された所定の制御リソースセット（ＣＯＲＥＳＥＴ）内に配置され得る。各ＣＣＥは６個のＲＥＧを含むことができ、各ＲＥＧは１つのＯＦＤＭシンボル内の１２個の副搬送波、及び１，２又は３個のＲＥＧバンドルからなる。ＲＥＧバンドルは、インターリーブされたマッピングまたはインターリーブされていないマッピングのいずれかにしたがって、制御リソースセット（ＣＯＲＥＳＥＴ）に配置されてもよい。ＵＥ１１０は、ＲＥＧバンドルがＰＤＣＣＨを送信するときにｇＮＢ１７０によって使用される周波数およびタイム時おいてプリコーダ粒度を定義すると仮定するように構成され得る。別の例示的な実施形態によれば、ＵＥ１１０は、周波数におけるプリコーダ粒度が周波数領域における連続するＲＢの数に等しくなるように構成され得る。ＣＯＲＥＳＥＴリソースは、周波数において６個のリソースブロック単位で構成されてもよい。
【００２６】
図２に示すように、ＰＤＣＣＨブラインドサーチは、１つまたは多数の制御リソースセット（ＣＯＲＥＳＥＴ）２３０にマッピングされた並列サーチ空間セットの手段によって構成することができる。ＰＤＣＣＨブラインド探索中に、ＵＥ１１０は、事前定義された制御チャネル要素（ＣＣＥ）、アグリゲートＣＣＥ、およびＤＣＩサイズを、事前定義された時刻にモニタリングすることができる。
【００２７】
サーチスペースセットとＣＯＲＥＳＥＴ  の間にはリンクがある。Ｒｅｌ−１５  では、ＵＥのセル（ＢＷＰ）の帯域部分（ＢＷＰ）で設定可能なＣＯＲＥＳＥＴの最大数は３で、ＵＥのセルでＢＷＰに設定可能な検索スペースセットの最大数は、それぞれ１０である。
【００２８】
複数のＰＤＣＣＨは、特定のＵＥ１１０に関連する可能性があり、また関連しない可能性がある単一のＣＯＲＥＳＥＴで送信される。ＵＥ１１０は、あらゆるモニタリングの機会において、ＰＤＣＣＨ候補の設定（ＰＤＣＣＨがマッピングされることができる連続ＣＣＥ２５０の設定）をモニタリングすることによって、それに固有のＰＤＣＣＨを見つけることができる。ＣＣＥのセットは、ハッシング関数によって決定され得る。モニタリング環境は、サーチスペースセットごとに個別に設定できる。
【００２９】
ＣＣＥ２５０は、上位レイヤシグナリングを介して構成された所定のＣＯＲＥＳＥＴ内に配置され得る。図示のように、ＣＣＥ２５０はＣＣＥ２５０−０〜２５０ー７（例えば、ＣＣＥ２５０−０、ＣＣＥ２５０−１、ＣＣＥ２５０−２など）を含むことができる。各ＣＣＥ２５０は６つのＲＥＧ（例えば、１２の副搬送波、１つのＯＦＤＭシンボル）、及び１、２又は３つのＲＥＧバンドルから構成される。ＲＥＧバンドルは、インターリーブまたは非インターリーブ・マッピングを使用してＣＯＲＥＳＥＴにマッピングできる。ＵＥ１１０は、ＲＥＧバンドルがＰＤＣＣＨを送信するときにｇＮＢ１７０によって使用される周波数およびタイム時おいてプリコーダ粒度を定義すると仮定することができる。図２は、１つのシンボル制御リソースセットと、インターリーブされたＲＥＧ−ＣＣＥマッピングと、ＲＥＧバンドルサイズ２とを仮定した例示的なＰＤＣＣＨマッピングを示す。ＮＲによってサポートされるＲＥＧバンドルサイズオプションは、図３に示される表３００に列挙される。
【００３０】
表３００に示すように、サポートされるマッチングオプションは制御リソースセット長３１０（例えば、シンボルの数（＃））を含むことができ、各制御リソースセット長について、対応する非インターリーブ・マッピング（ＲＥＧバンドル：周波数ｘタイム）３２０およびインターリーブ・マッピング（ＲＥＧバンドル：周波数ｘタイム）３３０を含むことができる。例えば、図３に示すように、１の制御リソースセット長３１０は、６（６×１）の対応する非インターリーブ・マッピングと、２（２×１）、６（６×）のインターリーブ・マッピングとを有する。
【００３１】
表３に、ＲＥＧバンドルサイズのオプションを、新しい無線（ＮＲ）でサポートされるＲＥＧの観点から示す。
【００３２】
図２に戻って参照すると、システムは、ＲＡＮ１ワーキンググループ（ＷＧ）会議で行われた作業仮定および合意に基づいて実施することができる。スロットベーススケジューリングの制御リソースセットのみがＵＥ１１０に対して設定されている場合、キャリアあたりのスロットあたりのＰＤＣＣＨブラインドデコードの最大数は、変数Ｘである可能性がある。Ｘの値は４４を超えてはならない。パラメータＸはシナリオにしたがって（例えば、サブキャリア間隔にしたがって、および／または、ＵＥ１１０の能力にしたがって）変化しうる。特定の制御リソースセットにおいて、２つのタイプのサーチスペース（例えば、ＵＥ共通サーチスペースおよびＵＥ特定サーチスペース）は、ＵＥ１１０がモニタリング換るために異なる周期性を有することができる。この場合の周期性は、ＵＥ１１０がモニタリング動作を実行する（特定のタイムに対応し得る）繰り返し数のスロットの後のスロット（または対応するタイム）を指す。小さな周期性は、大きな周波数に対応し得る。例示的な実施形態によれば、各探索空間の周期性をモニタリングすることは、以下の値、｛１、２、４、５、８、１０、１６、２０｝スロットのうちの１つとすることができる。
【００３３】
サーチスペースのセットは、１）集約レベルのセット。２）  各集計レベルのＰＤＣＣＨ  候補の数。３）  １組の探索空間に対するＰＤＣＣＨモニタリングの機会、のパラメータの１つのセットによって決定され得る。
【００３４】
少なくとも、初期アクセス以外の場合について、サーチ空間のセットを識別するために、以下のパラメータは、ＵＥ固有のＲＲＣシグナリングによって構成され得る。
１）｛１、２、４、８、１６｝の各集計レベルのＰＤＣＣＨ  候補の数。１つの値は｛０，１，２，３，４，５，６，８｝から選択できる。
２）検索領域集合のＰＤＣＣＨモニタリングの機会。１つの値は、｛１−ｓｌｏｔ、２−ｓｌｏｔ、４−ｓｌｏｔ、５−ｓｌｏｔ、８−ｓｌｏｔ、１０−ｓｌｏｔ、１６−ｓｌｏｔ、２０−ｓｌｏｔから選択される。
３）１つ以上の数値は、モニタリング対象スロット内の複数のシンボル、例えば、第１のシンボル、第２のシンボル、．．．第１４のシンボルから、モニタリング対象スロット内のシンボルから選択することができる。これは、ビットマップシグナリングの手段によっても行うことができる。探索空間の各セットは、ＲＲＣシグナリングによって制御リソースセット構成に関連付けることができる。
【００３５】
システム１００は、スロットベースと非スロット（例えば、言い換えるとミニスロット）ベースの両方のスケジューリングをサポートすることができるＮＲシステムのような無線システムで実現することができる。スロットは、通常のＣＰを有する１４個のＯＦＤＭシンボルのような多数のＯＦＤＭシンボルとして定義することができる。スロットは、すべてのダウンリンク、すべてのアップリンク、または少なくとも１つのダウンリンク部分および少なくとも１つのアップリンク部分を含むことができる。ミニスロットは、５Ｇで定義されるサブスロット構造である。ミニスロットは、１つ以上のシンボル（最大１３個のシンボル）で構成される。ＤＬミニスロットでは、第１シンボルがダウンリンク制御情報を含み得る。ミニスロットは、スロット境界を待つことなく、成功したリッスン・ビフォア・トーク手順の直後に送信を開始するなど、アンライセンスバンドでの動作のために使用することができる。
【００３６】
図４を参照すると、新しい無線アンライセンスバンドシナリオにおけるＰＤＣＣＨブラインドサーチを管理するためのベースラインソリューション４００の例示的な図が示されている。ベースラインソリューション４００は、３ＧＰＰ  ＮＲリリース１５で提供される仕様に準拠することができる。
【００３７】
ＮＲが、競合ベースのチャネルアクセス手順を必要とするアンライセンスバンドに適用される場合、チャネルアクセス手順が、チャネルが空であることを示すと、ｇＮＢ１７０またはＵＥ１１０がチャネルを迅速に占有することができることが有益である。ｇＮＢ１７０またはＵＥ１１０が送信をスロット境界と整列させるために自己延期で長く待ちすぎる場合、その間に、より機敏なシステムがチャネルを占有する可能性がある。ミニスロットは、連続する可能な送信開始位置間のタイムを短縮する効率的な方法を提供する。実施例は、送信開始位置の制御チャネル復号化負担と周波数との間に（例えば、構成可能で、合理的な等の）トレードオフを提供し、たとえば、ＵＥ１１０側での制御チャネルのブラインドデコードの負担の増加や、より頻繁な送信開始位置から生じる復調基準信号のオーバヘッドの増加など、ミニスロットのいくつかの欠点を緩和する。さらに、スロット当たりのＢＤの数を制限することができる。同じ制限は、ＵＥ１１０がスロットごとにチャネル推定を実行することができるＣＣＥの数に適用することができる。したがって、ミニスロットベースのＰＢＤＤＨモニタリングの使用は、サーチ空間／制御リソースセットごとに利用可能な、チャネル推定のためのＢＤ候補および／またはＣＣＥの数を低減し得る。
【００３８】
図２、およびＲＡＮ１ワーキンググループ（ＷＧ）ミーティング（ＲＡＮ１  ＃９０）においてなされた合意に関して上述したように、ＮＲシステムにおけるＵＥ１１０は、特定の周期性を有するＤＬ制御リソース設定（ＣＯＲＥＳＥＴ）に関連付けられた探索空間設定をモニタリングするように構成され得る。ＵＥ１１０は複数のこのようなサーチスペース設定（同一または異なるＣ制御リソースセットに関連する）をモニタリングするように構成されてもよく、場合によってはスロットレベル周期性（１４シンボル）およびミニスロット周期性（２シンボル）などの異なる周期性で構成されてもよい。
【００３９】
図４に戻って参照すると、アンライセンスバンドシナリオにおけるＰＤＣＣＨモニタリングのための２つのベースラインアプローチ（ベースラインＡ４１０およびベースラインＢ４２０）が示されている。ベースラインソリューションは、ＮＲフェーズ１に基づく。
【００４０】
ベースラインＡ４１０は、ＵＥ１１０が第１第ルスロットの境界において、ミニスロットベースのモニタリングからスロットベースのモニタリングに切り替えることができる場合を示す。図示のように、使用されるベースラインＡ４１０スロットベースのＰＤＣＣＨモニタリング４４０は、スロット持続タイム惨３０を示す。場合によっては、ｇＮＢ１７０ハードウェアが、チャネルアクセスが得られ、それによってｇＮＢ１７０の複雑さが追加される前に、準備を開始する必要がある（例えば、命令される）可能性があるため、ｇＮＢ１７０が２つのＰＤＣＣＨおよびＰＤＳＣＨバージョン（ミニスロットおよびフルスロット）を準備する必要があるため、問題が生じることがある。
【００４１】
ベースラインＢ４２０は、ＵＥ１１０がミニスロット周期性４５０にしたがってＰＤＣＣＨを常にモニタリングする場合を示す。図示のように、ベースラインＢは、非スロットベースのＰＤＣＣＨモニタリング４５０を示す。いくつかの例では、ＵＥ１１０の過剰なＰＤＣＣＨモニタリングオーバヘッドのために問題が生じる可能性があり、またはＢＤの数が制限される場合、特定のＵＥ１１０または特定のＵＥ１１０のセットに対してＰＤＣＣＨを送信するためのｇＮＢの１７０の機会が大幅に減少する可能性がある。これは、ｇＮＢ１７０が同じスロット中に複数のＵＥ１１０のためにＰＤＣＣＨを送信する必要があるマルチユーザシナリオにおけるＰＤＣＣＨブロッキング確率の増加に起因し得る。これらのインスタンスは（例えば、（１つ以上の）ＵＥ１１０および（１つ以上の）ｇＮＢ１７０の一方または両方のための）過剰なＰＤＣＣＨオーバヘッドも含み得る。
【００４２】
図５は、アンライセンスバンドのＣＯＴ（チャネル占有タイム）ベースのＰＤＣＣＨモニタリング５００の例示的な図を示す。キー５６０に示すように、スロットは、非スロットベースのＰＤＣＣＨモニタリング５７０に基づいて、またはスロットベースのＰＤＣＣＨモニタリング５８０によってモニタリングされてもよい。
【００４３】
図５は、アンライセンスバンドシナリオにおけるＰＤＣＣＨモニタリングを示す。ＣＯＴベースのＰＤＣＣＨモニタリングの例示的な実施形態では、スロットｎ中のＰＤＣＣＨモニタリングがミニスロット解像度に基づくことができる。ＵＥ１１０はＣＯＴがスロットｎにおいて開始したこと、および次のスロット境界の前にｋ個のＯＦＤＭシンボルを決定することができる（ｋはスロット開始シンボルに関しても決定されることができる）。ＣＯＴが開始された決定は、基準信号の検出、ダウンリンク制御情報、または他の何らかのＤＬ信号の検出に基づいてもよい。ｋは、次のスロット境界の前のＣＯＴの開始シンボルである。パラメータｎ（図５には示されていない）は、ＣＯＴが開始するスロットインデックスに対応する。Ｋは（ｇＮＢ１７０の観点からの）ＰＤＣＣＨ送信および（ＵＥ１１０の観点からの）ＰＤＣＣＨモニタリング監ためのしきい値として見ることができ、いつミニスロットベースの動作からスロットベースの動作に切り替えるかを制御する。Ｋは例えば、次のスロット境界の前にＯＦＤＭ図柄（Ｋはスロット始動図柄に関しても決定できた）で決定すればよい。パラメータＫは、上位レイヤシグナリングによって構成され得る。
【００４４】
一旦ＣＯＴの開始位置を検出すると、ＵＥ１１０は、例えば、一次同期信号（ＰＳＳ）、二次同期信号（ＳＳＳ）及び物理ブロードキャストチャネル（ＰＢＣＨ）を含む、同期信号ブロック（ＳＳＢ）に基づいて、スロット構造に関するシンボルタイミングを決定することができる。本文脈では、ＣＯＴの開始がダウンリンク送信の開始またはダウンリンク送信バーストの開始手段である。ＣＯＴは送信持続タイム、すなわち、送信がチャネルを占有する時刻を手段する。単一のＣＯＴは、単一の送信、またはダウンリンク送信とアップリンク送信の両方を含むことができる。
【００４５】
図５の事例［ａ］５１０に示されるように、ｋ≧Ｋの場合（例えば、図５の部分［ａ］５１０に、ｋシンボル＞Ｋ、５４０として示される）、ＣＯＴ５７０内のスロットｎ＋１およびそれに続くスロットにおけるＰＤＣＣＨモニタリングは、スロット解像度４４０に基づくことができる。そうでなければ、スロットｎ＋１におけるＰＤＣＣＨモニタリングは、ミニスロット解像度４５０（例えば、図５の部分［ｂ］５２０に、ｋシンボル＜Ｋ、５５０として示される）に基づくことができる。スロットｎ＋２およびＣＯＴ内の以下のスロットにおけるＰＤＣＣＨモニタリングは、スロット解像度４４０に基づくことができる。
【００４６】
しかしながら、図５に提示されるアプローチに関して、ｋ（の値）に依存して、ＵＥ１１０は、チャネル占有およびｇＮＢ１７０のＤＬ送信準備の観点から必要とされるよりも多くの非スロットベースの動作に従って動作することを要求され得る（または指示され、必要とされ得る）（例えば、ＵＥ１１０は、チャネル占有およびｇＮＢ１７０のＤＬ送信に関して最小回数よりも多くの非スロットベースの動作に従って動作することを要求され得る）。これにより、ＰＤＣＣＨブラインド符号化によりＵＥ１１０の消費電力が増加し、ＵＬで追加のＨＡＲＱ−ＡＣＫフィードバックが発生する可能性があるとともに、制御／ＲＳのオーバヘッドが増加する可能性がある。
【００４７】
ＬＴＥ  ＬＡＡでは、共通シグナリングが現在および次のサブフレームの（例えば、通常または部分終了）サブフレームのタイプを示す。ＬＴＥ  ＬＡＡでは、現在および次のサブフレームのタイプ（通常またはＤｗＰＴＳのよう）を示すための共通シグナリングがＤＬサブフレームごとに送信される。しかしながら、ＬＴＥ  ＬＡＡアプローチは、ｅＮＢ１７０におけるプロセスのさらなる複雑さを必要とし得る。例えば、ｅＮＢ１７０ハードウェアは、２つのＰＤＣＣＨおよびＰＤＳＣＨバージョンを準備する必要があるかもしれない。この共通シグナリングは、オーバヘッドを増加させ得る。さらに、ＬＴＥ  ＬＡＡのために定義された共通シグナリングは、図５に関して上述されたように、スロットとミニスロットとの混合に基づくＮＲシナリオに関して、いくつかの例において適用可能でないことがある。
【００４８】
図６はライセンスされていない無線シナリオ（例えば、ＮＲライセンスされていない無線シナリオ）のための一時的にフローティングするＤＬタイミング図６００の例示的な図を示す。例示的な実施形態は無線（例えば、ＮＲ）無免許帯域動作のために、ＤＬタイミングを一時的にフローティングすることを容易にし得る。例えば、ｇＮＢ１７０は、チャネルがフリーになったとき（およびｇＮＢが送信を開始することを許可されたとき）の正確なタイミング（スロット内）を知る前に、ＰＤＳＣＨ（および、いくつかの例では、ＰＤＣＣＨ）を準備することができる。このアプローチは、ＮＲ無免許帯域動作の効率的な実装を可能にし得る。ｇＮＢ１７０は開始タイム候補を変化させるために複数のＰＤＳＣＨ長オプションを準備する必要がないので、これらの場合に、（ＮＲ無認可帯域動作のためのＤＬ送信信号準備の）効率的な実装が可能になる（例えば、引き起こされる、容易にされるなど）。ｇＮＢ  １７０はポジティブ・リスン・ビフォア・トーク（ＬＢＴ：ｐｏｓｉｔｉｖｅ  ｌｉｓｔｅｎ  ｂｅｆｏｒｅ  ｔａｌｋ）動作の直後に、最も早い時点（例えば、できるだけ早い時点）でＤＬ送信（Ｔｘ）バーストの送信を開始することができる。ライセンスされていないスペクトルで動作する場合、リスン・ビフォア・トーク（クリア・チャネル・アセスメント）が必要とされることがある。ＬＢＴは、エネルギー検出に基づいてもよい。ポジティブＬＢＴは、ノードが送信することができることを示すことができる。例えば、検出されたエネルギーは所定の期間、所定のしきい値未満であってもよく、これはノードが送信することができることを示すポジティブＬＢＴをもたらす。準備されたＰＤＳＣＨ（およびＰＤＣＣＨ）は、スロットベースであっても、ミニスロットベースであってもよい。ＰＤＳＣＨ長は、ＰＤＳＣＨをスケジューリングするＤＣＩにおいて搬送され得る。
【００４９】
第１のＰＤＳＣＨ（＋ＰＤＣＣＨ）の後、ｇＮＢ  １７０は送信をスロットグリッドと整列させるために、調整された長さを有するミニスロットまたはＰＤＳＣＨを使用することができる。
【００５０】
ＤＬ  Ｔｘバーストの第１のＰＤＣＣＨ（およびＰＤＳＣＨ）を受信する前に、ＰＤＣＣＨモニタリングを実行するＵＥ１１０は、非スロットベースの動作に従うことができる。ＵＥ１１０は、ｐ個のＯＦＤＭシンボル（ｐ∈［１、２、３、４、５、７、１３］個のＯＦＤＭシンボル）の周期性で、又はスロット内の予め定義されたモニタリング角ターンに従って、このプロセスを実行することができる。
【００５１】
ＵＥ１１０が第１のＰＤＳＣＨを見つけた場合、ＵＥ１１０は構成されたＰＤＣＣＨモニタリングを一時停止し、ＤＬ割り当てで示されたＰＤＳＣＨ持続タイムに従って次のＰＤＣＣＨモニタリングの機会を設定することができる。
【００５２】
ＵＥ１１０は、スケジュールされたＰＤＳＣＨがスロット境界で終了するまで、２つ以上のＰＤＳＣＨについてこのプロセス（構成されたＰＤＣＣＨモニタリングを中断し、次のＰＤＣＣＨモニタリングの機会・設定する）を繰り返すことができる。スケジュールされたＰＤＳＣＨがスロット境界で終了した後、ＵＥ１１０は、スロット境界に基づいて（およびスロットベースのモニタリング緩従って）ＰＤＣＣＨをモニタリングすることができる。
【００５３】
図６に示すように、ＵＥ１１０は、スロットグリッド６１０に関連してシンボルグリッド６１５のＰＤＣＣＨモニタリング涯２０を実行することができる。ＵＥ１１０は、ＰＤＣＣＨモニタリング６３０が２つのＯＦＤＭシンボル（ＰＤＣＣＨモニタリング６３０およびシンボル６３５として示され、その間にＰＤＣＣＨモニタリングは示されない）の周期性で行われるという仮定に基づいて、このプロセスを実行することができる。
【００５４】
第１のＰＤＳＣＨ（＋ＰＤＣＣＨ）６４０の長さは、この例では７ＯＦＤＭシンボルである。第１のＰＤＳＣＨの長さは可変であり、別の例では１４であってもよい。この第１のミニスロットまたはスロット６４５は、事前に準備されてもよく、固定長を有する可能性がある。ＰＤＣＣＨシンボルＤｃ６４５およびＰＤＳＣＨシンボルＤｄ６５０は、ミニスロット内でＰＤＣＣＨおよびＰＤＳＣＨが使用される場合を示す。
【００５５】
第２のＰＤＳＣＨ（＋ＰＤＣＣＨ）６６０の長さは、例えば、（第１のＰＤＳＣＨおよびＰＤＣＣＨの長さよりも長い）１３個のＯＦＤＭシンボルであってもよい。第２のミニスロット６４５は、予め用意されていなくてもよい。このインスタンスにおけるＰＤＣＣＨモニタリングは、第１のミニスロット終了タイムに基づいて導出される。長さは、次のスロット（存在する場合）がスロット境界で始まることができるように規定されてもよい。
【００５６】
ＰＤＳＣＨ長は、ＤＣＩスケジューリングＰＤＳＣＨから決定され得る。ｇＮＢ  １７０は、ＲＲＣシグナリングの手段によって、以下の図７および図８に関して説明するようなテーブルを構成することができる。
【００５７】
本明細書で提供される例示的な実施形態はＤＬ  Ｔｘバーストの第１の送信の柔軟な長さを提供することができ、場合によってはスロット境界を横切る。第１の送信は、（チャネルが利用可能である絶対タイムを知ることなく）事前に準備されてもよい。例示的な実施形態は次のスロット境界までスロットグリッドを整列させるために、ミニスロットまたは短縮されたＰＤＳＣＨの使用を可能にすることができる。例示的な実施形態は、第１の送信の後、次のスロット境界またはスロット境界で終了するＰＤＳＣＨまで、フローティングＰＤＣＣＨモニタリングを提供することができる。フローティングＰＤＣＣＨモニタリングは、第１採送信タイムを使用して、設定されたＰＤＣＣＨモニタリングセットをオフセットすることによって決定できる。
【００５８】
図７は、デフォルトダウンリンクテーブル７００の値の例示的な図を示す。
【００５９】
ＤＬのためのデフォルトテーブル７００は、列Ｋ０７２０、Ｓ７３０およびＬ７４０およびインデックスｉ７１０を含むことができ、ここで、Ｋ０はＰＤＳＣＨがスケジュールされているＰＤＣＣＨに対するＰＤＳＣＨスロットであり、ＳはダウンリンクにおけるＰＤＳＣＨ伝送のために使用される開始シンボルおよびＬシンボルの数であり、インデックスｉはＰＤＣＣＨダウンリンク制御情報内に、タイム領域資源割当インデックス（例えば、０から７）として提供される。
【００６０】
ＰＤＳＣＨ長は、ＤＣＩスケジューリングＰＤＳＣＨから決定され得る。ｇＮＢ１７０は、ＲＲＣシグナリングの手段によって、テーブル７００などのテーブルを構成することができる。テーブル７００は、（スロット内のスケジューリング遅延Ｋ０７２０およびＰＤＳＣＨシンボルの両方を含む）すべての可能なＰＤＳＣＨ割り当てを含み得る。
【００６１】
ｇＮＢ１７０は、スケジュールされた各ＰＤＳＣＨに対してテーブルの行エントリを選択することができる。テーブル７００などのデフォルトテーブルは、（選択時に）ＲＲＣ接続が確立されていないＵＥ１１０に適用され得る。
【００６２】
図７および図８は、ＰＤＳＣＨ（スロット／ミニスロット）タイム領域リソース割り当てに利用可能な限られたオプションのみをカバーすることに留意されたい。関連するパラメータは、ＰＤＳＣＨ開始シンボルＳを定義する制御リソースセット・サイズ（すなわち、ＰＤＣＣＨのために確保されるＯＦＤＭシンボルの数）と、パラメータＬによって定義されるＰＤＳＣＨに割り当てられるＯＦＤＭシンボルの数であり、表は、図６に示される例（６４０：Ｋ０＝０、Ｓ＝１、Ｌ＝６、６６０：Ｋ０＝０、Ｓ＝１、Ｌ＝１２）を含むすべての必要なオプションをサポートするように拡張され得る。
【００６３】
図８は、スロットシンボル割り当てテーブル８００の例示的な図を示す。表８００はインデックスｉ８１０（図７に関して上述したインデックスｉ７１０に対応することができる）を含み、シンボル空間８４０は、０から１３までの範囲である。
【００６４】
上で図７に関して説明した、テーブル７００のＳ７３０およびＬ７４０値は、スロットシンボル割振りテーブル８００に対応し、スロットの最初の２つまたは３つのシンボルはＰＤＳＣＨから解放されたままであり（たとえば、これらのスロットはＰＤＣＣＨ８２０のために割り振られ得る）、ＰＤＳＣＨ割振りは第３または第４のシンボルから開始する。Ｄｄ  ８３０は、ＰＤＳＣＨ（ＤＭＲＳを含む）に割り当てられたＬ個のシンボルに対応する。Ｋ０＝０の場合、同じスロットのＰＤＣＣＨはＰＤＳＣＨをスケジューリングする。ｉ＞１である場合、プロセスは、スロットの終わりにガード期間および短いＰＵＣＣＨのための余地を含む。例えば、ｉ＝２の場合、シンボル空間１２および１３は、ガード期間および短いＰＵＣＣＨのために利用可能である。
【００６５】
例示的な実施形態によれば、ＤＣＩは、ＰＤＳＣＨが送信されるスロット、およびスロットのシンボルのみを示すことができる。ＰＤＣＣＨは、上位レイヤシグナリングの手段によって別個に構成されてもよい。ＰＢＣＨは、残りの最小システム情報（ＲＭＳＩ）（ＣＳＳ−ＴＹＰＥ０）をスケジュールするために使用される共通サーチスペースの制御リソースセット（ＣＯＲＥＳＥＴ）／モニタリングオカレンスを設定するために使用できる。ＵＥ固有の上位レイヤシグナリングは、異なるＵＥ固有のサーチスペースセットのための制御リソースセット（ＣＯＲＥＳＥＴ）／モニタリングの機会を定義することができる。
【００６６】
図９は本明細書で説明されるような装置、例えば、ＵＥ１１０によって実行されうる、例示的な実施形態による方法の例示的なフロー図９００である。
【００６７】
ブロック９１０において、ＵＥ１１０は、第１のタイムパターンに従って、無認可帯域上でダウンリンク制御チャネルモニタリングを実行することができる。第１のパターンは、非スロットベースのモニタリングに対応することができる。例えば、上述の図６に関して説明したように、ＵＥ１１０は、ＯＦＤＭシンボル０〜８の間、ＰＤＣＣＣＨモニタリングを行ってもよい。ＵＥ１１０は、第１のタイムパターンおよび第２のタイムパターンに従ってダウンリンク制御チャネルモニタリング肝ための構成パラメータを受信したことがある。
【００６８】
ブロック９２０において、ＵＥ１１０は、データがいくつかのシンボル上で,
ダウンリンク上で送信されることを決定することができる。例示的な実施形態では、これはミニスロット０〜６の送信に対応することができる。例えば、図６に関して、これは、ＯＦＤＭシンボル＃８〜＃０に対応し得る。ＵＥ１１０がＤＬ割り当てを検出する場合、ＵＥ１１０は、次のＰＤＣＣＨモニタリングの機会がＰＤＳＣＨの終了後の次のシンボルで開始するように、ＤＬ割り当てに示されたＰＤＳＣＨ持続タイムに従って設定された構成されたＰＤＣＣＨモニタリングの機会をオフセットすることができる。
【００６９】
ブロック９３０において、いくつかのシンボル上で、データが、ダウンリンク上で送信される（例えば、図６に関して、ＵＥ１１０は、シンボル８において、データが送信される（データはミニスロット６４０によって表される）ことを決定することができる）という決定に基づいて、ＵＥ１１０は、第１のタイムパターンに従って、モニタリングを一時停止することができる。例えば、ＵＥ１１０は、（頻繁である）第１のパターンモニタリング格シンボル１０、１２、０）を介してモニタリングを停止することができる。例示的な実施形態によれば、データは、ＰＤＳＣＨ上で送信され得る。
【００７０】
例示的な実施形態によれば、データが送信されるという決定は、ダウンリンク制御チャネル上でＵＥ１１０に向けられたＤＬ割り当てを検出することと、ＵＥ１１０のグループに向けられたダウンリンク制御情報を検出することと、のうちの少なくとも１つに基づくことができる。
【００７１】
ブロック９４０において、ＵＥ１１０はデータの送信後に、少なくとも１つのシンボル上でダウンリンク制御チャネルモニタリングを実行することができる。ＵＥ１１０はオフセットを停止し、ＰＤＳＣＨの終了後の次のスロット境界で設定された構成済みＰＤＣＣＨモニタリングの機会λ戻ることができる。ＵＥ１１０は、データの送信の終了後の少なくとも１つの次のスロットについて、第２のタイムパターンに従ってダウンリンク制御チャネルモニタリングを実行することができる。例示的な実施形態によれば、ＵＥ１１０は、（第１のミニスロットの直後に）第２のミニスロットのモニタリングを開始することができる。この例示的な実施形態に加えて、第２のミニスロットのモニタリングは、スロットベースでなくてもよい。第１の送信（スロットまたはミニスロット）がスロット境界で終了する場合、第２の送信（スロット）および対応するＰＤＣＣＨモニタリングは、スロットベースの動作（第２のタイムパターン）に従って行われ得る。第２のミニスロット（６６０）および対応するＰＤＣＣＨモニタリングは、第１のミニスロット（６４０）がスロット境界で終了する場合には必要とされないことがあり、第１のミニスロットが見つかると、いくつかの例では、ＵＥ１１０があまり頻繁でないモニタリングを実行することができる。
【００７２】
一例によれば、ＵＥ１１０は、第１のタイムパターンまたは第２のタイムパターンに関連付けられたダウンリンク制御チャネルモニタリングの構成パラメータのうちの少なくとも１つに基づいて、データの送信後に、少なくとも１つのシンボル上でダウンリンク制御チャネルモニタリングを実行し得る。第１のパターンは第１のミニスロット（６４０）が受信される前に、非スロットベースのモニタリングであってもよい。これ（これら）は、第１のパターンと第２のパターンとの間の別個のモニタリングの機会（第１のミニスロットの終わりから導出される）（スロットベースのモニタリング）として見ることができる。
【００７３】
ＰＤＣＣＨモニタリングの機会セットのオフセットは、追加の条件でさらに制限されてもよい。例えば、ＵＥ１１０は、スロットベースのスケジューリングのためのＰＤＣＣＨモニタリングの機会において、またはＤＬ割り当ての前のスロットにおいて、ＤＬ信号を検出しなかった可能性がある、および／またはＤＬ割り当てが、ＰＤＣＣＨモニタリングの機会を相殺するための明示的なフラグを有し得る、および／またはＤＬ割り当てが、以前に示されたまたは検出されたＣＯＴ／Ｔｘバースト内になくてもよい。
【００７４】
ＵＥ１１０はオフセットを停止し、ＰＤＳＣＨの終了後の次のスロット境界において設定されたＰＤＣＣＨモニタリングの機会セット（第２のパターン）に戻ることができる。
【００７５】
例示的な実施形態によれば、第１のタイムパターンはスロットごとに２つ以上のダウンリンク制御チャネルモニタリングの機会を有することができ、第２のタイムパターンは、スロット周期性に従うことができる。ＵＥ１１０は非スロットベースの動作に従って、構成されたＰＤＣＣＨモニタリングの機会λ従うことができる（言い換えれば、ＵＥ１１０は、スロット当たり少なくとも２回、少なくとも１つの探索空間についてＰＤＣＣＨをモニタリングすることができる）。
【００７６】
例示的な実施形態によれば、ＵＥ１１０はダウンリンク送信（例えば、バースト）が終了したと判定し、この判定に基づいて、第２のタイムパターンに従ってダウンリンク制御チャネルモニタリングを中断することができる。ＵＥ１１０はグループ共通ＰＤＣＣＨから、ＤＬ  ＴＸバーストが終了した（ならびに第２のパターンに従ってＰＤＣＣＨモニタリングを実行した）と判定することができる。
【００７７】
例示的な実施形態によれば、ＵＥ１１０は基地局からのダウンリンク送信がないと判断し、その判断に基づいて、第１のタイムパターンに従ってダウンリンク制御チャネルモニタリングを実行することができる。
【００７８】
ＵＥ１１０は、基準信号、物理ダウンリンク制御チャネル、または何らかの他のＤＬ信号の不在を検出することに基づいて、ダウンリンク送信が終了したこと、またはダウンリンク送信がないことを決定し得る。
【００７９】
ＵＥ１１０はＵＥ１１０が第２（または例えば、後続の）ＤＬ割り当てを見逃すインスタンスのためのエラーケースハンドリングを実行することができる。場合によってはＵＥ１１０が第１のＰＤＣＣＨを正しく受信していない可能性がある（例えば、ＵＥ１１０は第２のＰＤＣＣＨの位置に対応する指示を受信していない可能性がある）。場合によってはＵＥ１１０が第１のＰＤＣＣＨでスケジュールされていない可能性がある（例えば、ＵＥ１１０は第２のＰＤＣＣＨの位置に対応する指示を受信していない可能性がある）。これらの例では、ＵＥ１１０がＤＬ  Ｔｘバーストが開始したことを決定する（例えば、情報を受信する）場合、ＵＥ１１０は次のスロットの開始からスロットベースの動作に従ってＰＤＣＣＨのモニタリングを開始し得るので、エラーの影響は制限され得る。さらに、すべてのＵＥ１１０がその情報から第２のＰＤＣＣＨの位置を導き出すことができるように、グループ共通ＰＤＣＣＨを用いて第１のＰＤＣＣＨの長さを示すことが可能である。１つの例示的な実施形態では、ＰＤＣＣＨモニタリングの機会が各スロットの始めに提供され得る。これは、ＰＤＣＣＨ誤検出の結果をさらに最小限に抑えることができる。
【００８０】
図１０は、本明細書で説明されるような装置、例えば、ｇＮＢ１７０によって実行され得る、例示的な実施形態による方法を示す例示的なフロー図８００である。
【００８１】
ブロック１０１０において、ｇＮＢ  １７０は、ＰＤＳＣＨ（および対応するＰＤＣＣＨ）を事前に準備することができる。ｇＮＢ１７０は、伝送の実際の開始タイム・スロットおよびスロットインデックス内のシンボル）を知らない場合がある。実際の送信はポジティブＬＢＴによってトリガされてもよく、送信はＵＥ１１０のＰＤＣＣＨモニタリングの機会に整合されてもよい。
【００８２】
ブロック１０２０において、ｇＮＢ１７０は、準備されたＰＤＳＣＨがＰＤＣＣＨモニタリング周期性よりも長いと決定することができる。これらの例では、送信が（例えば、妥当である）制御およびＤＭＲＳオーバヘッド（例えば、２シンボルミニスロットのオーバヘッドより実質的に低い）を低下させている可能性がある。高密度の開始位置は、ＵＥ１１０での高レートのＰＤＣＣＨブラインド復号を必要とし得る（高速アクセスが好ましい場合には不可避であり得る）。
【００８３】
ブロック１０３０において、Ｔｘバーストが開始した後、ｇＮＢ１７０はＴｘをスロットグリッドと整列させるために、ミニスロットまたは短縮されたＰＤＳＣＨを使用することができる。ｇＮＢ１７０のデータ送信は、ＵＥ１１０が多数のシンボル上のダウンリンクでデータが送信されたと判断する時点で継続してもよい。
【００８４】
一例によれば、方法は、基地局（例えば、ｇＮＢ１７０）によって、第１のタイムパターンのモニタリングの機会にダウンリンク制御チャネル上で少なくとも１つの端末デバイス（例えば、ＵＥ１１０）のための第１のダウンリンク割当てを送信することと、第１のダウンリンク割当てに関連付けられたダウンリンク共有チャネル上でデータを送信することとを含み得る。この方法は、データの送信後に少なくとも次のシンボル上で少なくとも１つの端末デバイスのためのダウンリンク制御チャネルモニタリング上で第２のダウンリンク割当てを送信することと、第２のタイムパターンのモニタリングの機会上で、ダウンリンク制御チャネル上で少なくとも１つの端末デバイスのための第３のダウンリンク割当て（たとえば、第１のダウンリンク割当ての送信に関して説明したのと同じＵＥ１１０のうちの異なる）を送信することとを含むことができる。第１のタイムパターンはスロット毎に２つ以上のダウンリンク制御チャネルモニタリングの機会を有し、前記第２のタイムパターンは、スロット周期性に従う。
【００８５】
以下に現れる特許請求の範囲の範囲、解釈、または適用を何ら限定するものではないが、本明細書で開示される例示的な実施形態のうちの１つまたは複数の技術的効果はｇＮＢ１７０が（ＣＯＴの絶対開始タイミングを知ることなく）事前にＤＬパケットを準備することができることである。別の技術的効果は異なるｇＮＢ実装のためのスケーラブルなソリューションを提供することである（例えば、Ｋは異なるｇＮＢ実装に基づいて調整される可能性がある上位層パラメータである）。例示的な実施形態は、ＵＥ電力節約を提供する。例えば、ＵＥにおいて、不必要なミニスロットベースのＰＤＣＣＨモニタリングを回避することができる。制御チャネルおよびＤＭＲＳオーバヘッドの低減（不必要なミニスロットベースのＰＤＣＣＨおよびＤＭＲＳオーバヘッド）は、例示的な実施形態を使用することによって回避され得る。本明細書で説明する例示的な実施形態は、ＣＡおよび複数のＢＷ部分をサポートすることができる。別の技術的効果は、起こり得るエラー事例に対してロバストなシステムを提供することである。
【００８６】
例示的な実施形態は、端末デバイスによって、第１のタイムパターンに従ってダウンリンク制御チャネルモニタリングを実行することと、データがいくつかのシンボル上で、ダウンリンク上で送信されたことを決定することと、データが送信されたという決定に基づいて、第１のタイムパターンに従ってダウンリンク制御チャネルモニタリングの実行をサスペンドすることと、データの送信後に少なくとも１つのシンボル上でダウンリンク制御チャネルモニタリングを実行することとを備える方法を提供することができる。
【００８７】
上記の段落で説明した例示的な実施形態によれば、データの送信の終了後に少なくとも１つの次のスロットについて第２のタイムパターンに従ってダウンリンク制御チャネルモニタリングを実行する。
【００８８】
上記段落で説明した例示的な実施形態によれば、端末デバイスは、第１および第２のタイムパターンに従ってダウンリンク制御チャネルモニタリングのための構成パラメータを受信している。
【００８９】
上記段落で説明した例示的な実施形態によれば、第１のタイムパターンによるダウンリンク制御チャネルモニタリングの構成パラメータのセットのうちの少なくとも１つに基づいて、データの送信後に少なくとも１つのシンボルに対してダウンリンク制御チャネルモニタリングを実行する。
【００９０】
上記の段落で説明した例示的な実施形態によれば、データは、物理ダウンリンク共有チャネル上で送信される。
【００９１】
上記段落で説明した例示的な実施形態によれば、データが送信されるという決定は、ダウンリンク制御チャネル上で端末デバイスに向けられたダウンリンク割当てを検出すること、および、端末デバイスのグループに向けられたダウンリンク制御情報を検出することのうちの少なくとも１つに基づく。
【００９２】
上記の例示的な実施形態によれば、端末デバイスはダウンリンク送信が終了したと判定し、ダウンリンク送信が終了したと判定したことに基づいて、第２のタイムパターンに従ってダウンリンク制御チャネルモニタリングを中断する。
【００９３】
上記の例示的な実施形態によれば、端末デバイスは基地局からのダウンリンク送信がないと判定し、基地局からのダウンリンク送信がないと判定したことに基づいて、第１のタイムパターンに従ってダウンリンク制御チャネルモニタリングを実行する。
【００９４】
上記段落で説明した例示的な実施形態によれば、第１のタイムパターンはスロット当たり２つ以上のダウンリンク制御チャネルモニタリングの機会を有し、第２のタイムパターンは、スロット周期性に従う。
【００９５】
上記段落で説明した例示的な実施形態によれば、ダウンリンク制御チャネルモニタリングは、ライセンスされていない帯域上で実行される。
【００９６】
一実施形態は、少なくとも１つのプロセッサと、コンピュータ・プログラム・コードを含む少なくとも１つの非一時的メモリとを備える装置を提供することができ、前記少なくとも１つのメモリおよびコンピュータ・プログラム・コードは、前記少なくとも１つのプロセッサを用いて前記装置に、第１のタイムパターンに従ってダウンリンク制御チャネルモニタリングを実行させることと、データが多数のシンボルで、ダウンリンク上で送信されることを決定することと、前記データが送信されるとの決定に基づいて、前記第１のタイムパターンに従ってダウンリンク制御チャネルモニタリングを実行中のことを中断することと、前記データの送信後に少なくとも１つのシンボルでダウンリンク制御チャネルモニタリングを実行することをさせるように構成することができる。
【００９７】
上記の段落で説明した例示的な実施形態によれば、この装置は、データの送信の終了後に、少なくとも１つの次のスロットについて、第２のタイムパターンに従ってダウンリンク制御チャネルモニタリングを実行する。
【００９８】
上記段落で説明した例示的な実施形態によれば、装置は、第１および第２のタイムパターンに従ってダウンリンク制御チャネルモニタリングのための構成パラメータを受信している。
【００９９】
上記段落で説明した例示的な実施形態によれば、この装置は、第１のタイムパターンによるダウンリンク制御チャネルモニタリングの構成パラメータのセットのうちの少なくとも１つに基づいて、データの送信後の少なくとも１つのシンボルに対して、ダウンリンク制御チャネルモニタリングを実行する。
【０１００】
上記の段落で説明した例示的な実施形態によれば、データは、物理ダウンリンク共有チャネル上で送信される。
【０１０１】
上記段落で説明した例示的な実施形態によれば、データが送信されるという決定は、ダウンリンク制御チャネル上で端末デバイスに向けられたダウンリンク割当てを検出すること、および端末デバイスのグループに向けられたダウンリンク制御情報を検出することのうちの少なくとも１つに基づく。
【０１０２】
上記段落で説明した例示的な実施形態によれば、ダウンリンク送信が終了したと判定し、ダウンリンク送信が終了したと判定したことに基づいて、第２のタイムパターンに従ってダウンリンク制御チャネルモニタリングを中断する。
【０１０３】
別の例によれば、例示的な装置は。装置によって、第１のタイムパターンに従ってダウンリンク制御チャネルモニタリングを実行するための手段と、データがいくつかのシンボル上で、ダウンリンク上で送信されることを決定するための手段と、データが送信されるという決定に基づいて手段するために、第１のタイムパターンに従ってダウンリンク制御チャネルモニタリングの実行を中断する手段と、データの送信後に少なくとも１つのシンボル上でダウンリンク制御チャネルモニタリングを実行するための手段とを備える。
【０１０４】
上記の実施形態によれば、データ送信の終了後、少なくとも次の１つのスロットについて、第２のタイムパターンに従ってダウンリンク制御チャネルモニタリングを実行する手段が提供される。
【０１０５】
上記段落で説明した例示的な実施形態によれば、装置は、第１および第２のタイムパターンに従って、ダウンリンク制御チャネルモニタリングのための構成パラメータを受信している。
【０１０６】
上の段落で説明した例示的な実施形態によれば、第１のタイムパターンによるダウンリンク制御チャネルモニタリングの構成パラメータの設定のうちの少なくとも１つに基づいて、データの伝送後に少なくとも１つの記号に対してダウンリンク制御チャネルモニタリングを実行するための手段が提供される。
【０１０７】
上記の段落で説明した例示的な実施形態によれば、データは、物理ダウンリンク共有チャネル上で送信される。
【０１０８】
上記段落で説明した例示的な実施形態によれば、データが送信されるという決定は、ダウンリンク制御チャネル上で端末デバイスに向けられたダウンリンク割当てを検出すること、および端末デバイスのグループに向けられたダウンリンク制御情報を検出することのうちの少なくとも１つに基づく。
【０１０９】
上記の例示的な実施形態によれば、その装置によって、ダウンリンク送信が終了したことを決定するための手段を有する。
【０１１０】
上記の例示的な実施形態によれば、ダウンリンク送信が終了したという決定に基づいて、第２のタイムパターンに従ってダウンリンク制御チャネルモニタリングを一時停止するための手段を有する。
【０１１１】
上記段落で説明した例示的な実施形態によれば、第１のタイムパターンはスロット当たり２つ以上のダウンリンク制御チャネルモニタリングの機会を有し、第２のタイムパターンは、スロット周期性に従う。
【０１１２】
上記段落で説明した例示的な実施形態によれば、ダウンリンク制御チャネルモニタリングは、ライセンスされていない帯域上で実行される。
【０１１３】
別の例によれば、例示的な装置は、物理ダウンリンク共有チャネルおよび対応する物理ダウンリンク制御チャネルを事前に準備するための手段を備え、物理ダウンリンク共有チャネルは物理ダウンリンク制御チャネルモニタリング周期性よりも長くてもよい。
【０１１４】
別の例によれば、例示的な方法は、基地局によって、第１のタイムパターンのモニタリング時に少なくとも１つの端末デバイスのための第１のダウンリンク割当てをダウンリンク制御チャネル上で、ダウンリンク制御チャネル上で送信することと、第１のダウンリンク割当てに関連付けられたダウンリンク共有チャネル上でデータを送信することと、データの送信後に少なくとも１つの端末デバイスのためのダウンリンク制御チャネル上で少なくとも次のシンボル上で第２のダウンリンク割当てを送信することと、第２のタイムパターンのモニタリング時に少なくとも１つの端末デバイスのための第３のダウンリンク割当てをダウンリンク制御チャネル上で送信することと、を含み、第１のタイムパターンはスロットごとに２つ以上のダウンリンク制御チャネルモニタリング時を有し、前記第２のタイムパターンは、スロット周期性に従う、方法である。
【０１１５】
本明細書の実施形態はソフトウェア（１つまたは複数のプロセッサによって実行される）、ハードウェア（例えば、特定用途向け集積回路）、またはソフトウェアとハードウェアの組合せで実施することができる。例示的な実施形態ではソフトウェア（例えば、アプリケーションロジック、命令セット）は様々な従来のコンピュータ可読媒体のいずれか１つに維持される。本明細書の文脈では、「コンピュータ可読媒体」は、コンピュータなどの命令実行システム、装置、またはデバイスによって、またはそれらに関連して使用するための命令を含み、記憶し、通信し、伝播し、または搬送することができる任意の媒体または手段とすることができ、コンピュータの一例はたとえば図１に記載され図示されている。コンピュータ可読媒体は、コンピュータなどの命令実行システム、装置、またはデバイスによって、またはそれらに関連して使用するための命令を含み、格納し、かつ／または搬送することができる任意の媒体または手段であり得るコンピュータ可読記憶媒体（たとえば、メモリ１２５、１５５、１７１、または他のデバイス）を備えることができる。コンピュータ可読記憶媒体は、伝搬信号を含まない。
【０１１６】
所望であれば、本明細書で説明される異なる機能は、異なる順序で、および／または互いに同時に実行されてもよい。さらに、所望であれば、上述の機能のうちの１つ以上は、任意であってもよく、または組み合わせられてもよい。
【０１１７】
様々な態様が上述されたが、他の態様は上述された実施形態からの特徴の他の組み合わせを含み、上述された組み合わせのみを含むものではない。
【０１１８】
また、本明細書では上記で例示的な実施形態を説明したが、これらの説明は限定的な意味で見られるべきではないことに留意されたい。むしろ、本発明の範囲から逸脱することなくなされ得るいくつかの変形および修正が存在する。
【０１１９】
本発明の様々な態様が独立請求項に記載されているが、本発明の他の態様は記載された実施形態および／または従属請求項からの特徴と独立請求項の特徴との他の組合せを含み、特許請求の範囲に明示的に記載された組合せだけではない。
【０１２０】
また、本明細書では上記で例示的な実施形態を説明したが、これらの説明は限定的な意味で見られるべきではないことに留意されたい。むしろ、添付の特許請求の範囲に定義される本発明の範囲から逸脱することなくなされ得るいくつかの変形および修正が存在する。
【０１２１】
一般に、様々な実施形態は、ハードウェアまたは専用回路、ソフトウェア、ロジック、またはそれらの任意の組合せで実装され得る。例えば、いくつかの態様はハードウェアで実装されてもよく、他の態様はコントローラ、マイクロプロセッサ、または他のコンピューティングデバイスによって実行されてもよいファームウェアまたはソフトウェアで実装されてもよいが、本発明はそれに限定されない。本発明の様々な態様は、ブロック図、フローチャートとして、またはいくつかの他の絵画的表現を使用して図示および説明され得るが、本明細書で説明されるこれらのブロック、装置、システム、技法、または方法は非限定的な例として、ハードウェア、ソフトウェア、ファームウェア、専用回路もしくは論理、汎用ハードウェアもしくはコントローラ、または他のコンピューティングデバイス、あるいはそれらのいくつかの組合せで実装され得ることをよく理解されたい。
【０１２２】
実施形態は、集積回路モジュールのような種々の構成要素で実施されてもよい。集積回路の設計は高度に自動化されたプロセスによるものであり、大規模である。論理レベルの設計を、エッチングされ、半導体基板上に形成される準備ができている整った半導体回路設計に変換するための、複雑で強力なソフトウェアツールが利用可能である。
【０１２３】
ここで、「例示」という用語は「一例、または例示としての役割を果たす」という意味で用いられており、ここで、「例示」として説明されるいかなる実施形態も、必ずしも、他の実施形態よりも好ましいか有利であるとは限らない。この詳細な説明に記載される実施形態の全ては、当業者が本発明を実施または使用することを可能にするために提供される例示的な実施形態であり、特許請求の範囲によって定義される本発明の範囲を限定するものではない。
【０１２４】
前述の説明は、本発明を実施するために本発明者らによって現在企図されている最良の方法および装置の完全かつ有益な説明を、例および非限定的な例として提供した。しかしながら、添付の図面および付随の請求項を熟読する際に、前述の説明を考慮して、種々の修正および適合が、当業者に明白になるのであろう。しかしながら、本発明の教示の全てのそのような及び同様の修正は、依然として本発明の範囲内にある。
【０１２５】
用語「接続された」、「結合された」、またはその任意の変形は２つ以上の要素間の直接または間接の任意の接続または結合を意味し、「接続された」または「結合された」２つの要素間の１つ以上の中間要素の存在を包含し得ることに留意されたい。要素間の結合または接続は物理的、論理的、またはそれらの組み合わせであり得る。本明細書で使用されるように、２つの要素は、１つ以上のワイヤ、ケーブル、および／または印刷された電気的接続の使用によって、ならびに、無線周波数領域、マイクロ波領域、および光学（可視および不可視の両方）領域における波長を有する電磁エネルギーなどの電磁エネルギーの使用によって、いくつかの非限定的かつ非網羅的な例として、「接続された」または「結合された」とみなされ得る。
【０１２６】
さらに、本発明の好ましい実施形態の特徴のいくつかは、他の特徴を対応して使用することなく有利に使用することができる。したがって、前述の説明は、本発明の原理を単に例示するものであって、本発明を限定するものではないと考えられるべきである。
【図１】
2021514151.tif 000003
【図２】
2021514151.tif 000004
【図３】
2021514151.tif 000005
【図４】
2021514151.tif 000006
【図５】
2021514151.tif 000007
【図６】
2021514151.tif 000008
【図７】
2021514151.tif 000009
【図８】
2021514151.tif 000010
【図９】
2021514151.tif 000011
【図１０】
2021514151.tif 000012
【国際調査報告】
2021514151.tif 000013
2021514151.tif 000014